(57)【要約】【課題】システム起動後、走行前に、電気機器の使用とバッテリの非接触充電を行う場合でも、電気機器を使用する上での利便性の低下を抑制できる車両を提供する。【解決手段】この車両は、走行用の電力を蓄積するバッテリと、受電コイルを介して非接触に電力を取り込む電力取込部と、バッテリから走行モータ以外の機器に電源を供給可能な電源機能部と、バッテリを電源ラインに接続又は切断する第１リレーと、電力取込部を電源ラインに接続又は切断する第２リレーと、第１リレー及び第２リレーの切り替え制御を行う制御部と、車両の走行の制御を行う車両制御部と、システム起動時に、受電コイルが地上設備の送電コイルから受電可能な位置にあるか否かを判定する（Ｓ１）第１判定部とを備え、システム起動時、制御部は、第１判定部の判定結果に基づいて、第１リレー及び第２リレーの切替手順を変更する（Ｓ２、Ｓ３、Ｓ４）ことを特徴とする車両である。【選択図】図２
2020127306.tif 000002
【特許請求の範囲】
【請求項１】
走行用の電力を蓄積するバッテリと、
受電コイルを介して非接触に電力を取り込む電力取込部と、
前記バッテリから走行モータ以外の機器に電源を供給可能な電源機能部と、
前記バッテリを電源ラインに接続又は切断する第１リレーと、
前記電力取込部を前記電源ラインに接続又は切断する第２リレーと、
前記第１リレー及び前記第２リレーの切り替え制御を行う制御部と、
車両の走行の制御を行う車両制御部と、
システム起動時に、前記受電コイルが地上設備の送電コイルから受電可能な位置にあるか否かを判定する第１判定部とを備え、
システム起動時、前記制御部は、前記第１判定部の判定結果に基づいて、前記第１リレー及び前記第２リレーの切替手順を変更することを特徴とする車両。
【請求項２】
システム起動時、前記制御部は、前記第１判定部により前記受電可能な位置に有ると判定された場合に、前記第２リレーを接続状態にした後に、前記第１リレーを接続状態に切り替え、前記第１判定部により前記受電可能な位置に無いと判定された場合に、前記第２リレーの切断状態を切り替えずに、前記第１リレーを接続状態に切り替えることを特徴とする請求項１記載の車両。
【請求項３】
前記制御部は、
非接触充電の開始の際に、前記第２リレーの状態を判別し、前記第２リレーが接続状態である場合に、第２リレーを切り替えずに、非接触充電を開始することを特徴とする請求項１又は請求項２に記載の車両。
【請求項４】
システム起動後に非接触充電が開始される可能性の低下を判定する第２判定部を更に備え、
前記制御部は、前記第２判定部により前記可能性の低下と判定された場合に、前記第２リレーを切断状態に切り替えることを特徴とする請求項１から請求項３のいずれか一項に記載の車両。
【請求項５】
前記車両制御部は、システム起動時に前記第２リレーが接続状態に切り替えられ、その後、走行モードへの移行指令に基づき前記第２リレーが切断状態に切り替えられる場合に、前記走行モードへの移行を遅延させることを特徴とする請求項４記載の車両。
【請求項６】
前記車両制御部は、システム起動時に前記第２リレーが接続状態に切り替えられ、その後、走行モードへの移行指令に基づき前記第２リレーが切断状態に切り替えられる場合に、前記第２リレーの切断状態への切替え後の期間、走行の駆動力を制限することを特徴とする請求項４又は請求項５に記載の車両。
【請求項７】
前記送電コイルから受電可能なように前記受電コイルの位置を合わせる充電移行処理部を更に備え、
前記制御部は、前記充電移行処理部により前記受電コイルの位置合わせの完了を記憶する位置合わせ完了記憶部を有し、
前記第１判定部は、前記位置合わせ完了記憶部の記憶情報と走行履歴情報とに基づいて、システム起動時に前記受電コイルが受電可能な位置にあるか否かを判定することを特徴とする請求項１から請求項６のいずれか一項に記載の車両。
【発明の詳細な説明】
【技術分野】
【０００１】
本発明は、走行用の電力を蓄積するバッテリと、外部からバッテリの充電用の電力を取り込む電力取込部とを有する車両に関する。
【背景技術】
【０００２】
ＥＶ（Electric Vehicle）又はＰＨＥＶ（Plug-in Hybrid Electric Vehicle）などの車両は、走行用の電力を蓄積する大容量の高電圧バッテリを備える。高電圧バッテリは、エアコン又はナビゲーションシステムなどの車載機器の電源として使用されることがある。さらに、近年、車体の内外に設けられたコンセントからＡＣ電源を供給する利便性機能が実用化され、利便性機能の電源としても高電圧バッテリが用いられている。
【０００３】
このような車両は、外部電源から電力を取り込んで、高電圧バッテリの充電を行うことができる。充電の形式には、地上設備の送電コイルから非接触で電力を取り込む非接触充電形式と、充電コネクタを介して有線で電力を取り込む有線充電形式とがある。
【０００４】
一般に、高電圧バッテリを備える車両では、高電圧バッテリの電圧が無暗にシステムの電源ラインに出力されないよう、システムメインリレーを介して、電源ラインと高電圧バッテリとが切断可能とされる。また、高電圧バッテリを外部電源から充電可能な車両においては、電力取込部に、高電圧バッテリの電圧が必要なく出力されないよう、電圧取込部と電源ラインとが充電用リレーを介して切断可能とされる。特許文献１には、蓄電装置(２６）を電源ラインに接続するシステムメインリレー（２８）と、非接触充電用の受電コイル（３８）を充電器（３２）に接続するリレー（ＲＹ１）とを有する車両が開示されている。
【先行技術文献】
【特許文献】
【０００５】
【特許文献１】国際公開第２０１０−１３１３４８号
【発明の概要】
【発明が解決しようとする課題】
【０００６】
高電圧バッテリを有する車両では、突入電流等の過大な電流がリレーに流れないよう、リレーの切替制御が行われる。例えば、充電用リレーを接続状態に切り替えて充電を開始するには、一旦、システムメインリレーを切断状態にして電源ラインから高電圧バッテリを切り離し、その後、充電用リレーを接続状態に切り替える。そして、再びシステムメインリレーを接続状態に切り替える。システムメインリレーには、その両端間の電圧を緩やかに変化させる保護機構が付加されているため、上記の手順により、充電用リレー及びシステムメインリレーの両方に過大な電流を流さずに、高電圧バッテリと電力取込部とを電源ラインを介して接続することができる。
【０００７】
しかしながら、車載機器又は利便性機能のコンセントに接続された電気機器が動作しているときに、高電圧バッテリの充電を行う場合、上記のようにリレーの切替制御を行うと、機器の電源が一時的に切れてしまうという課題が生じる。
【０００８】
本発明は、システム起動後、走行前に、電気機器の使用とバッテリの非接触充電を行う場合でも、電気機器を使用する上での利便性の低下を抑制できる車両を提供することを目的とする。
【課題を解決するための手段】
【０００９】
請求項１記載の発明は、
走行用の電力を蓄積するバッテリと、
受電コイルを介して非接触に電力を取り込む電力取込部と、
前記バッテリから走行モータ以外の機器に電源を供給可能な電源機能部と、
前記バッテリを電源ラインに接続又は切断する第１リレーと、
前記電力取込部を前記電源ラインに接続又は切断する第２リレーと、
前記第１リレー及び前記第２リレーの切り替え制御を行う制御部と、
車両の走行の制御を行う車両制御部と、
システム起動時に、前記受電コイルが地上設備の送電コイルから受電可能な位置にあるか否かを判定する第１判定部とを備え、
システム起動時、前記制御部は、前記第１判定部の判定結果に基づいて、前記第１リレー及び前記第２リレーの切替手順を変更することを特徴とする車両である。
【００１０】
なお、本明細書において切替手順の変更とは、切替対象の変更、切替内容の変更、切替順序の変更、及び、これらの変更の組み合わせを含む概念である。
【００１１】
請求項２記載の発明は、請求項１記載の車両であって、
システム起動時、前記制御部は、前記第１判定部により前記受電可能な位置に有ると判定された場合に、前記第２リレーを接続状態にした後に、前記第１リレーを接続状態に切り替え、前記第１判定部により前記受電可能な位置に無いと判定された場合に、前記第２リレーの切断状態を切り替えずに、前記第１リレーを接続状態に切り替えることを特徴とする。
【００１２】
請求項３記載の発明は、請求項１又は請求項２記載の車両であって、
前記制御部は、
非接触充電の開始の際に、前記第２リレーの状態を判別し、前記第２リレーが接続状態である場合に、第２リレーを切り替えずに、非接触充電を開始することを特徴とする。
【００１３】
請求項４記載の発明は、請求項１から請求項３のいずれか一項に記載の車両であって、
システム起動後に非接触充電が開始される可能性の低下を判定する第２判定部を更に備え、
前記制御部は、前記第２判定部により前記可能性の低下と判定された場合に、前記第２リレーを切断状態に切り替えることを特徴とする。
【００１４】
請求項５記載の発明は、請求項４記載の車両であって、
前記車両制御部は、システム起動時に前記第２リレーが接続状態に切り替えられ、その後、走行モードへの移行指令に基づき前記第２リレーが切断状態に切り替えられる場合に、前記走行モードへの移行を遅延させることを特徴とする。
【００１５】
請求項６記載の発明は、請求項４又は請求項５に記載の車両であって、
前記車両制御部は、システム起動時に前記第２リレーが接続状態に切り替えられ、その後、走行モードへの移行指令に基づき前記第２リレーが切断状態に切り替えられる場合に、前記第２リレーの切断状態への切替え後の期間、走行の駆動力を制限することを特徴とする。
【００１６】
請求項７記載の発明は、請求項１から請求項６のいずれか一項に記載の車両であって、
前記送電コイルから受電可能なように前記受電コイルの位置を合わせる充電移行処理部を更に備え、
前記制御部は、前記充電移行処理部により前記受電コイルの位置合わせの完了を記憶する位置合わせ完了記憶部を有し、
前記第１判定部は、前記位置合わせ完了記憶部の記憶情報と走行履歴情報とに基づいて、システム起動時に前記受電コイルが受電可能な位置にあるか否かを判定することを特徴とする。
【発明の効果】
【００１７】
システム起動時、受電コイルが受電可能な位置に有れば、走行前に充電が行われることが想定される。また、充電の開始時には、電源機能部から電気機器に電力供給が行われていることが想定される。一方、受電コイルが受電可能な位置に無ければ、走行前に充電が行われることがない。本発明によれば、システム起動時に受電コイルが地上設備の送電コイルから受電可能な位置に有る場合と、無い場合とで、第１リレーと第２リレーとの切替手順を変更するので、上記の２つの状況の各々に適した第１リレー及び第２リレーの切替えを実現できる。これにより、例えば、システム起動後、走行前に、電源機能部を使用しながらバッテリの充電を開始する場合でも、電源機能部の電力供給が中断されるなどの利便性の低下を抑制することが可能となる。
【図面の簡単な説明】
【００１８】
【図１】本発明の実施形態に係る車両を示すブロック図である。
【図２】充電制御部と車両制御部とが連携して実行するシステム起動処理の手順を示すフローチャートである。
【発明を実施するための形態】
【００１９】
以下、本発明の実施形態について図面を参照して詳細に説明する。図１は、本発明の実施形態の車両を示すブロック図である。
【００２０】
本発明の実施形態に係る車両１は、ＥＶ又はＨＥＶ（Hybrid Electric Vehicle）などであり、走行用の電力を蓄積するバッテリ１１と、駆動輪を駆動する走行モータ１３と、バッテリ１１と走行モータ１３との間で電力を変換するインバータ１２と、バッテリ１１の状態を管理するＢＣＵ（Battery Control Unit）１４とを備える。バッテリ１１は、走行モータ１３を駆動する高電圧を出力し、高電圧バッテリと呼んでもよい。バッテリ１１は、例えばリチウムイオン蓄電池又はニッケル水素蓄電池などの二次電池である。
【００２１】
車両１は、さらに、システムメインリレーＲ１、プリチャージ部ＰＣ及び電源ラインＬｂを備える。バッテリ１１は、システムメインリレーＲ１及びプリチャージ部ＰＣを介して電源ラインＬｂに接続される。プリチャージ部ＰＣは、システムメインリレーＲ１が切断状態のときに、システムメインリレーＲ１の両端間の電圧を緩やかに近づける機能を有する。バッテリ１１を電源ラインＬｂに接続するには、まず、プリチャージ部ＰＣが接続状態に切り替えられ、これによりシステムメインリレーＲ１の両端間の電位差が小さくされる。その後、システムメインリレーＲ１が接続状態に、プリチャージ部ＰＣが切断状態に切り替えられ、これにより、システムメインリレーＲ１に過大な電流を流さずに、システムメインリレーＲ１を切断状態から接続状態に切り替えることができる。以下、システムメインリレーＲ１を接続状態に切り替えると説明したときは、プリチャージ部ＰＣの上記の切り替えの動作が含まれるものとする。システムメインリレーＲ１は、本発明に係る第１リレーの一例に相当する。
【００２２】
車両１は、さらに、走行制御と各部の制御を行う車両制御部１５を備える。車両制御部１５は、１つのＥＣＵ（Electronic Control Unit）から構成されてもよいし、互いに連携して動作する複数のＥＣＵから構成されてもよい。車両制御部１５は、例えば、運転操作部（図示略のペダル、シフトレバー４１等）の操作に応じて、インバータ１２を駆動し、走行モータ１３を力行運転又は回生運転させる。これにより、運転操作に応じた車両１の走行が実現される。加えて、車両制御部１５は、電源機能部２５の始動制御と、システムメインリレーＲ１及びプリチャージ部ＰＣの切り替え制御とを行う。車両制御部１５は、本発明に係る第２判定部の一例に相当する。
【００２３】
車両１は、さらに、走行モータ１３以外の電気機器にバッテリ１１の電力を用いて電源電圧を供給する電源機能部２５を備える。電源機能部２５は、エアコン用インバータ２１、車載インバータ２３、並びに、図示略のヒータスイッチなどを含む。エアコン用インバータ２１は、バッテリ１１の電力を変換してエアコン２２（コンプレッサ等）に駆動電流を送る。車載インバータ２３は、バッテリ１１の電力をＡＣ電源電圧に変換し、車内コンセント２４に出力する。車両１の搭乗者は、車載インバータ２３を駆動させることで、例えば家庭用の電気器具を車内コンセント２４に接続して使用することができる。ヒータスイッチには、負荷として、空調用の冷媒又はバッテリ１１を温めるＰＴＣ（Positive Temperature Coefficient）ヒータが接続され、オンされることでＰＣＴヒータに電力を供給する。
【００２４】
なお、車内コンセント２４の代わりに、あるいは、車内コンセント２４に加えて、車載インバータ２３には、車両１の近傍（車室外）で電気器具を使用できる車外コンセント又は宅内のコンセントが接続されていてもよい。あるいは、電源機能部２５は、車載インバータ２３の代わりに、外付け用のインバータを接続可能なコネクタ及びリレーを備えていてもよい。そして、コネクタに外付け用のインバータが接続され、リレーがオンにされることで、車両制御部１５の制御により、電源ラインＬｂからインバータへ電力が供給され、外付け用のインバータから車外コンセントへＡＣ電源電圧が出力されるように構成されてもよい。また、外付け用のインバータから家庭のコンセントへＡＣ電源電圧が出力されるように構成されてもよい。車両１から車外へＡＣ電源電圧を供給する構成はＶ２Ｌ（Vehicle to Load）であり、車両１から宅内へＡＣ電源電圧を供給する構成はＶ２Ｈ（Vehicle to Home）である。このような構成により、車両１のユーザは、車両１の近傍又は家庭で、車両１から供給される電力を用いて電気器具を使用することができる。
【００２５】
車両１は、さらに、地上設備１００から非接触に電力を取り込む非接触充電機構３０を備える。非接触充電機構３０は、受電コイル３１、整流器３２、無線通信を行う通信部３３、充電制御部３４及び充電用リレーＲ２を備える。受電コイル３１は、地上設備１００の送電コイル１０３と対向した状態で、電磁的な結合又は電磁的な共鳴により送電コイル１０３から電力を受けることができる。整流器３２は、受電コイル３１から出力される交流電流を整流し、電源ラインＬｂ側へ送る。充電用リレーＲ２は、整流器３２と電源ラインＬｂとを接続状態と切断状態とに切り替える。充電用リレーＲ２は、本発明に係る第２リレーの一例に相当する。受電コイル３１及び整流器３２は、本発明に係る電力取込部の一例を示す。充電制御部３４は、本発明に係る第１判定部及び制御部の一例に相当する。
【００２６】
充電制御部３４は、通信部３３を介して地上設備１００と通信を行い、かつ、整流器３２から電圧情報を受けて、非接触充電の制御を行う。非接触充電の制御には、充電用リレーＲ２の切替制御が含まれる。充電制御部３４は、通信ラインＬｃを介した通信を行って、車両制御部１５及びＢＣＵ１４と連携する。すなわち、充電制御部３４は、車両制御部１５を介してシステムメインリレーＲ１の切替制御を行うことができ、また、車両制御部１５又はＢＣＵ１４を介して搭乗者による各種運転操作の情報とバッテリ１１の状態情報を取り込むことができる。各種運転操作の情報には、シフトレバー４１の位置情報（パーキングモード、ドライブモード、リバースモードなど）が含まれる。バッテリ１１の状態情報には充電率（ＳＯＣ：State of Charge）が含まれる。
【００２７】
充電制御部３４は、ＣＰＵ（Central Processing Unit）、ＣＰＵが実行する制御プログラム及び制御データを格納した記憶部、並びに、ＣＰＵがデータを展開するＲＡＭ（Random Access Memory）を有するＥＣＵである。記憶部には、非接触充電移行処理で受電コイル３１の位置合わせが完了済みであることを記憶する位置合わせ完了記憶部３４ａが含まれる。
【００２８】
車両１は、さらに、ダッシュボード等に設けられた非接触充電移行スイッチ３６を備える。車両１の搭乗者は、非接触充電移行スイッチ３６を操作することで、充電制御部３４へ非接触充電への移行の指令を送ることができる。
【００２９】
なお、車両制御部１５と充電制御部３４とは通信ラインＬｃを介した通信により連携するので、図１の例に示される車両制御部１５の処理の一部（例えばシステムメインリレーＲ１の切替制御）は、充電制御部３４が行ってもよい。逆に、図１の例に示される充電制御部３４の処理の一部（例えば非接触充電移行スイッチ３６からの信号入力、充電用リレーＲ２の切替制御）は、車両制御部１５が行ってもよい。また、車両制御部１５と充電制御部３４とは、別構成とせずに、一組の制御部として統合されてもよい。
【００３０】
地上設備１００は、非接触に電力を伝送する送電コイル１０３と、外部電源の電力を変換して送電コイル１０３へ出力するインバータ１０２と、車両１の充電制御部３４と通信可能な通信部１０６と、インバータ１０２を駆動制御する地上設備制御部１０５とを備える。車両１の充電制御部３４は、通信部３３、１０６による無線通信を介して、地上設備制御部１０５へ、送電コイル１０３の励磁要求を送ることができる。
【００３１】
＜非接触充電処理＞
次に、非接触充電機構３０を用いてバッテリ１１を充電する非接触充電処理について説明する。非接触充電処理は、車両１が地上設備１００の近傍にあるときに、非接触充電移行スイッチ３６が操作されることで開始される。非接触充電処理が開始されると、まず、充電制御部３４は、受電コイル３１の位置合わせ処理と、充電用リレーＲ２及びシステムメインリレーＲ１のリレー切替制御とを含む、非接触充電移行処理を実行する。
【００３２】
受電コイル３１の位置合わせ処理では、充電制御部３４は、地上設備１００に位置合わせ用の弱い励磁を要求し、送電コイル１０３を励磁させる。そして、充電制御部３４は、この励磁に基づき受電コイル３１に生じる誘導起電力を確認しながら運転者を誘導して車両１を移動させる。このような制御により、受電コイル３１が送電コイル１０３に対向する位置に合わせられ、車両１が停止する。位置合わせ処理中には、システムメインリレーＲ１が接続状態で、充電用リレーＲ２が切断状態とされる。
【００３３】
続く、リレー切替制御では、充電制御部３４は、システムメインリレーＲ１を、一旦、切断状態へ切り替えた後、充電用リレーＲ２を接続状態へ切り替え、その後、システムメインリレーＲ１を再び接続状態に切り替える。このようなリレー切替制御により、充電用リレーＲ２に突入電流などの過大な電流が流れることが抑制されつつ、整流器３２とバッテリ１１とが電源ラインＬｂを介して接続される。
【００３４】
非接触充電移行処理（受電コイル３１の位置合わせ処理とリレー切替制御）とが完了したら、次に、充電制御部３４は、地上設備１００に、充電用の電力伝送を要求する。すると、送電コイル１０３が電力伝送用に励磁され、送電コイル１０３から受電コイル３１に電力が伝送される。受電コイル３１で受けた電力は、整流器３２で整流され、電源ラインＬｂを介してバッテリ１１へ送られる。電力の伝送中、充電制御部３４は、充電時間、バッテリ１１の充電率、送電の有無等を監視し、例えば所定の充電時間が経過するか、バッテリ１１が満充電となったら、地上設備１００に送電コイル１０３の励磁の停止を要求し、これによりバッテリ１００の充電を終了する。充電が終了されたら、充電制御部３４は、充電用リレーＲ２を切断状態に切り替え、これにより車両１が走行可能となる。
【００３５】
＜システム起動処理＞
車両１のシステムが休止状態のときに、車両１の搭乗者等が起動の操作（例えば電源ボタンのオン操作）をすると、車両１のシステムが起動する。システムの休止状態とは、システムメインリレーＲ１が切断され、かつ、車両制御部１５が待機動作している状態を意味する。システムの起動とは、システムメインリレーＲ１が接続状態に切り替えられ、かつ、車両制御部１５が起動することで、車両１が走行可能な状態へ遷移することを意味する。
【００３６】
車両１のシステム起動後、運転者は車両１を走行するか、あるいは、走行前にバッテリ１１の充電を行う。ただし、走行前にバッテリ１１を充電するには、車両１が地上設備１００上にあり、受電コイル３１が位置合わせ済みである場合に限られる。また、車両１のシステム起動時には、車両１の搭乗者は、電源機能部２５を使用して何らかの電気機器を駆動している場合がある。電源機能部２５の使用中、仮に、バッテリ１１の充電を開始するためにシステムメインリレーＲ１を、一旦、切断状態に切り替えた場合、電源機能部２５からの電力供給が中断され、電源機能部２５の利便性を低下させてしまう。
【００３７】
図２は、充電制御部と車両制御部とが連携して実行するシステム起動処理を示すフローチャートである。
【００３８】
システム起動の操作によりシステム起動処理が開始されると、まず、充電制御部３４は、受電コイル３１が送電コイル１０３から電力伝送可能な位置にあるか否かを判定する（ステップＳ１）。充電制御部３４は、例えば、位置合わせ完了記憶部３４ａに記憶された過去の位置合わせ処理の履歴情報と、車両制御部１５に記憶された走行の履歴情報とから、前回の位置合わせ処理の完了から車両１の走行が行われていない場合に、受電コイル３１が送電コイル１０３から電力伝送可能な位置にあると判定する。
【００３９】
ステップＳ１の判定結果がＹＥＳの場合、充電制御部３４は、車両制御部１５を介してシステムメインリレーＲ１を接続状態に切り替えさせる（ステップＳ４）。そして、充電制御部３４は、処理をステップＳ５に進める。
【００４０】
一方、ステップＳ１の判定結果がＮＯの場合、充電制御部３４は、まず、充電用リレーＲ２を接続状態に切り替え（ステップＳ２）、次に、車両制御部１５を介してシステムメインリレーＲ１を接続状態に切り替える（ステップＳ３）。ステップＳ２の充電用リレーＲ２の切替えタイミングでは、電源ラインＬｂとバッテリ１１とが切り離されているため、充電用リレーＲ２に突入電流などの過大な電流が流れることはない。そして、充電制御部３４は、処理をステップＳ５に進める。
【００４１】
ステップＳ３又はステップＳ４で、システムメインリレーＲ１が接続状態に切り替えられることで、車両１の搭乗者は電源機能部２５を始動して電気機器を駆動することが可能となる。
【００４２】
処理が進められると、充電制御部３４と車両制御部１５とは、非接触充電への移行要求の有無の判別（ステップＳ５）と、サーボＯＮの指令の有無の判別（ステップＳ６）とを、いずれかの判別がＹＥＳとなるまで、繰り返し実行する。そして、このループ処理の間に、非接触充電移行スイッチ３６が操作されて非接触充電への移行要求があったら、充電制御部３４は、処理をステップＳ７に進める。また、車両１の搭乗者からサーボＯＮの指令がなされると、車両制御部１５は、処理をステップＳ１０に進める。サーボＯＮとは、例えば、シフトレバー４１の操作によりシフト位置がドライブモード又はリバースモードに切り替えられ、インバータ１２の電源がＯＮになって車両１が走行モードになることを意味する。
【００４３】
ステップＳ５、Ｓ６のループ処理中、非接触充電への移行要求がなされたら、充電制御部３４は、まず、充電用リレーＲ２が接続状態であるか否かを判別する（ステップＳ７）。そして、判別結果がＹＥＳであれば、受電コイル３１が位置合わせ済みであるので、充電制御部３４は、新たに、受電コイル３１の位置合わせ処理とリレーの切替制御とを行わずに、地上設備１００に充電用の電力伝送の開始を要求する（ステップＳ９）。一方、ステップＳ７の判別結果がＮＯであれば、受電コイル３１が位置合わせされていないので、通常の非接触充電移行処理（ステップＳ８）を実行する。ステップＳ８の処理は、前述した、受電コイル３１の位置合わせ処理及びリレー切替制御を含んだ非接触充電移行処理である。そして、非接触充電移行処理が完了したら、充電制御部３４は、地上設備１００に充電用の電力伝送の開始を要求する（ステップＳ９）。ステップＳ９の要求により、送電コイル１０３から電力伝送が開始されると、充電制御部３４は、処理を充電処理へ移行する。
【００４４】
ここで、運転者が受電コイル３１の位置合わせを完了させて車両１を駐車し、その後、車両１を起動して電源機能部２５を使用し、バッテリ１１の充電率が幾分低下したところで、非接触充電を行ってバッテリ１１の充電率を回復させる状況について検討する。非接触充電の要求があったとき、仮に、充電用リレーＲ２が切断されていると、充電用リレーＲ２を接続状態に切り替えるために、一旦、システムメインリレーＲ１を切断する必要が生じる。この場合、電源機能部２５からの電力供給が中断されるので、電力供給の中断が支障となる電気機器を使用している場合に、電源機能部２５の利便性が低下する。一方、本実施形態では、上記の状況の際には、充電用リレーＲ２が接続状態に維持されており、システムメインリレーＲ１が一旦切断されることなく、非接触充電が開始される。したがって、電源機能部２５からの電力供給が中断されることがなく、電源機能部２５の利便性の低下を抑制できる。
【００４５】
ステップＳ５、Ｓ６のループ処理中、サーボＯＮの指令がなされたら、車両制御部１５は、充電制御部３４に問い合わせを行って充電用リレーＲ２が接続状態であるか判別し（ステップＳ１０）、ＹＥＳであれば、充電制御部３４を介して充電用リレーＲ２を切断状態に切り替える（ステップＳ１１）。さらに、車両制御部１５は、受電コイル３１及び整流器３２の放電が進む時間（例えば５秒）だけ遅延処理（ステップＳ１２）を行い、その後に、インバータ１２を起動させる（ステップＳ１３）。これにより、車両１が走行可能となる。
【００４６】
さらに、車両制御部１５は、受電コイル３１及び整流器３２の放電が完全に完了する所定期間が経過するまで、車両１の駆動力を制限する処理（ステップＳ１４〜Ｓ１６）を行う。駆動力の制限は、上限の駆動力が設定され、運転操作に関わらずに、車両制御部１５が、上限の駆動力以上のトルク指令をインバータ１２に出力しないことで実現される。そして、所定期間経過後に駆動力制限が解除（ステップＳ１６）されたら、システム起動処理が終了する。
【００４７】
一方、ステップＳ１０の判別処理の結果がＮＯであれば、車両制御部１５は、インバータ１２を起動させ（ステップＳ１７）、システム起動処理を終了する。
【００４８】
このようなシステム起動処理により、システム起動時の状況に合わせたリレーの切替制御が行われ、その後、運転者又は搭乗者の要求に基づいて、車両１を走行する処理、又は、バッテリ１１の充電処理を行うことができる。
【００４９】
以上のように、本実施形態の車両１によれば、システム起動時に、受電コイル３１が地上設備１００から受電可能な位置にあるか否かを、充電制御部３４が判定する（図２のステップＳ１）。さらに、この判定結果に基づいて、充電制御部３４が、システムメインリレーＲ１と充電用リレーＲ２との切替手順を変更する（ステップＳ２、Ｓ３又はステップＳ４）。システム起動時において受電コイル３１が位置合わせ済みか否かにより、その後に想定される電源機能部２５と非接触充電機構３０の利用状況が異なる。このため、上記の判定結果に基づき、リレーの切替手順を変更することで、異なる利用状況の各々に適したシステムメインリレーＲ１及び充電用リレーＲ２の切替を実現できる。そして、このような切替により、システム起動後、走行前に電源機能部２５が使用され、その使用中に非接触充電が開始されたとしても、電源機能部２５に対する電力供給が中断されるといった利便性が低下する状況を低減できる。
【００５０】
具体的には、充電制御部３４は、システム起動時に受電コイル３１の位置合わせ完了済みと判定したら、充電用リレーＲ２を接続状態に切り替えた後、システムメインリレーＲ１を接続状態に切り替える。一方、受電コイル３１が位置合わせ完了済みでないと判定したら、充電制御部３４は、充電用リレーＲ２の切断状態を維持しつつ、システムメインリレーＲ１を接続状態に切り替える。このような切替により、システム起動後、走行前に、電源機能部２５を使用し、かつ、非接触充電によりバッテリの充電率を回復するような場合に、電源機能部２５の電力供給の中断を回避することができる。
【００５１】
また、充電制御部３４は、非接触充電移行スイッチ３６が操作されて非接触充電処理を開始する際、充電用リレーＲ２の状態を判別し、接続状態であれば、そのまま非接触充電を開始する。このような制御により、システム起動時に充電用リレーＲ２が接続状態に切り替えられた場合に、この切替を有効に活用して、電源機能部２５の一時停止を避けつつ、非接触充電を開始することができる。
【００５２】
さらに、本実施形態の車両１によれば、システム起動処理で充電用リレーＲ２を接続状態に切り替えた場合に、車両制御部１５は、非接触充電が開始される可能性が低下するサーボＯＮの指令を判別する（ステップＳ６）。そして、この指令があった場合に、車両制御部１５は、充電制御部３４を介して充電用リレーＲ２を切断状態に切り替える（ステップＳ１１）。このような制御により、非接触充電が行われずに車両１が走行されるような場合に、走行中、バッテリ１１の高電圧が整流器３２及び受電コイル３１に出力されてしまうことを回避できる。
【００５３】
さらに、本実施形態の車両１によれば、システム起動時に充電用リレーＲ２が接続状態に切り替えられ（ステップＳ２）、その後、切断状態に切り替えられる（ステップＳ１１）場合、車両制御部１５は、遅延処理を行ってから（ステップＳ１２）、インバータ１２を起動する（ステップＳ１３）。これにより、バッテリ１１の高電圧が整流器３２及び受電コイル３１に残った状態で、車両１が走行可能となることを回避できる。
【００５４】
さらに、本実施形態の車両１によれば、システム起動時に充電用リレーＲ２が接続状態に切り替えられ（ステップＳ２）、その後、切断状態に切り替えられる（ステップＳ１１）場合、車両制御部１５は、所定期間、車両１の駆動力を制限する（ステップＳ１４〜Ｓ１６）。これにより、整流器３２及び受電コイル３１が十分に放電されるまで、車両１の駆動輪に大きなトルクが出力されることを回避できる。
【００５５】
以上、本発明の実施形態について説明した。しかし、本発明は上記実施形態に限らない。例えば、上記実施形態では、充電制御部３４と車両制御部１５とが連携してシステム起動処理を実行すると説明したが、システム起動処理は、車両制御部１５、充電制御部３４、又はその他の制御部が実行してもよい。すなわち、上記実施形態では、本発明に係る制御部として充電制御部を示し、本発明に係る車両制御部として図１の車両制御部１５を示したが、本発明の制御部及び車両制御部としては、他の複数の制御部がそれぞれ適用されてもよいし、１つの統合された制御部が適用されてもよい。その他、実施形態で示した細部は、発明の趣旨を逸脱しない範囲で適宜変更可能である。
【符号の説明】
【００５６】
１  車両
１１  バッテリ
１２  インバータ
１３  走行モータ
１５  車両制御部（第２判定部）
２１  エアコン用インバータ
２３  車載インバータ
２４  車内コンセント
２５  電源機能部
３１  受電コイル（電力取込部）
３２  整流器（電力取込部）
３４  充電制御部（制御部、第１判定部）
３４ａ  位置合わせ完了記憶部
３６  非接触充電移行スイッチ
Ｌｂ  電源ライン
Ｌｃ  通信ライン
Ｒ１  システムメインリレー（第１リレー）
Ｒ２  充電用リレー（第２リレー）
ＰＣ  プリチャージ部
１００  地上設備
１０３  送電コイル
【図１】
2020127306.tif 000003
【図２】
2020127306.tif 000004